(57)【要約】      （修正有）【課題】エレベーターの利用者に不便をかけることなく、エレベーターのリニューアルをおこなうことができる交換工事方法および信号変換装置を提供すること。【解決手段】エレベーターの利用者に不便をかけることなく、エレベーターのリニューアルをおこなうため、制御盤を新制御盤に交換する際に、構成部が出力する信号を、当該信号と同じ意味の信号であって、新制御盤が理解できる別の信号へ変換する信号変換装置を新制御盤と構成部との間に接続し、その後、構成部の少なくとも一つを、新制御盤が理解できる信号を出力する新構成部に交換するようにした。このような交換工事方法によれば、構成部から新構成部への交換を、分散しておこなうことができる。【選択図】図６
2019104636.tif 000002
【特許請求の範囲】
【請求項１】
複数の構成部を備えたエレベーターにおいて、当該構成部と接続して当該構成部を制御する制御盤を、当該制御盤とは別の種類の新制御盤に交換し、かつ、当該構成部を交換する工事をおこなう交換工事方法であって、
前記制御盤と前記構成部との接続を切り離し、当該制御盤を取り外す第１の工程と、
前記構成部が出力する信号を、当該信号と同じ意味の信号であって、前記新制御盤が理解できる別の信号へ変換する信号変換装置を、前記構成部に接続するとともに、当該信号変換装置を前記新制御盤に接続する第２の工程と、
前記第２の工程による接続の動作確認をおこなう第３の工程と、
を有する制御盤交換工程と、
前記制御盤交換工程による制御盤の交換が完了した後に、前記構成部の少なくとも一つと前記信号変換装置との接続を切り離し、当該構成部とは別の構成部であって、前記新制御盤が理解できる信号を出力する新構成部を、前記新制御盤に接続する第４の工程と、
前記第４の工程による接続の動作確認をおこなう第５の工程と、
を有する構成部交換工程と、
を含んだことを特徴とする交換工事方法。
【請求項２】
複数の構成部を備えたエレベーターにおいて、当該構成部と接続して当該構成部を制御する制御盤を、当該制御盤とは別の種類の新制御盤に交換し、かつ、当該構成部を交換する工事をおこなう交換工事方法であって、
前記制御盤と前記構成部との接続を切り離し、当該制御盤を取り外す第１の工程と、
前記新制御盤が出力する信号を、当該信号と同じ意味の信号であって、前記構成部が理解できる別の信号へ変換する信号変換装置を、前記構成部に接続するとともに、当該信号変換装置を前記新制御盤に接続する第２の工程と、
前記第２の工程による接続の動作確認をおこなう第３の工程と、
を有する制御盤交換工程と、
前記制御盤交換工程による制御盤の交換が完了した後に、前記構成部の少なくとも一つと前記信号変換装置との接続を切り離し、当該構成部とは別の構成部であって、前記新制御盤が理解できる信号を出力する新構成部を、前記新制御盤に接続する第４の工程と、
前記第４の工程による接続の動作確認をおこなう第５の工程と、
を有する構成部交換工程と、
を含んだことを特徴とする交換工事方法。
【請求項３】
複数の構成部を備えたエレベーターにおいて、当該構成部と接続して当該構成部を制御する制御盤を、当該制御盤とは別の種類の新制御盤に交換し、かつ、当該構成部を交換する工事をおこなう交換工事方法であって、
前記制御盤と前記構成部との接続を切り離し、当該制御盤を取り外す第１の工程と、
前記構成部が出力する信号を、当該信号と同じ意味の信号であって、前記新制御盤が理解できる別の信号へ変換し、かつ、前記新制御盤が出力する信号を、当該信号と同じ意味の信号であって、前記構成部が理解できる別の信号へ変換する信号変換装置を、前記構成部に接続するとともに、当該信号変換装置を前記新制御盤に接続する第２の工程と、
前記第２の工程による接続の動作確認をおこなう第３の工程と、
を有する制御盤交換工程と、
前記制御盤交換工程による制御盤の交換が完了した後に、前記構成部の少なくとも一つと前記信号変換装置との接続を切り離し、当該構成部とは別の構成部であって、前記新制御盤が理解できる信号を出力する新構成部を、前記新制御盤に接続する第４の工程と、
前記第４の工程による接続の動作確認をおこなう第５の工程と、
を有する構成部交換工程と、
を含んだことを特徴とする交換工事方法。
【請求項４】
前記構成部は、前記エレベーターの駆動機構であることを特徴とする請求項１〜３のいずれか一つに記載の交換工事方法。
【請求項５】
前記構成部は、前記エレベーターの乗り場の制御機構であることを特徴とする請求項１〜３のいずれか一つに記載の交換工事方法。
【請求項６】
前記構成部は、前記カゴの制御機構であることを特徴とする請求項１〜３のいずれか一つに記載の交換工事方法。
【請求項７】
前記構成部は、前記エレベーターのセンサー機構であることを特徴とする請求項１または３に記載の交換工事方法。
【請求項８】
エレベーターが備える複数の構成部と、当該構成部に接続して当該構成部を制御する制御盤との接続が切り離され、当該制御盤が取り外された後の前記構成部に接続されるとともに、当該制御盤とは別の種類の新制御盤に接続され、
前記新制御盤から前記構成部への下り信号の入力を受け付ける入力部と、
前記下り信号を、当該下り信号と同じ意味の信号であって、前記構成部が理解できる別の信号へ変換する信号変換部と、
前記信号変換部が変換した信号を、前記構成部へ出力する出力部と、
を備えたことを特徴とする信号変換装置。
【請求項９】
エレベーターが備える複数の構成部と、当該構成部に接続して当該構成部を制御する制御盤との接続が切り離され、当該制御盤が取り外された後の前記構成部に接続されるとともに、当該制御盤とは別の種類の新制御盤に接続され、
前記構成部から前記新制御盤への上り信号の入力を受け付ける入力部と、
前記上り信号を、当該上り信号と同じ意味の信号であって、前記新制御盤が理解できる別の信号へ変換する信号変換部と、
前記信号変換部が変換した信号を、前記新制御盤へ出力する出力部と、
を備えたことを特徴とする信号変換装置。
【請求項１０】
エレベーターが備える複数の構成部と、当該構成部に接続して当該構成部を制御する制御盤との接続が切り離され、当該制御盤が取り外された後の前記構成部に接続されるとともに、当該制御盤とは別の種類の新制御盤に接続され、
前記新制御盤から前記構成部への下り信号および前記構成部から前記新制御盤への上り信号の入力を受け付ける入力部と、
前記下り信号を、当該下り信号と同じ意味の信号であって、前記構成部が理解できる別の信号へ変換し、前記上り信号を、当該上り信号と同じ意味の信号であって、前記新制御盤が理解できる別の信号へ変換する信号変換部と、
前記信号変換部が変換した下り信号を前記構成部へ出力し、前記信号変換部が変換した上り信号を前記新制御盤へ出力する出力部と、
を備えたことを特徴とする信号変換装置。
【請求項１１】
前記入力部は、前記構成部ごとに接続端子を備えていることを特徴とする請求項８〜１０のいずれか一つに記載の信号変換装置。
【請求項１２】
前記出力部は、前記構成部ごとに接続端子を備えていることを特徴とする請求項８〜１０のいずれか一つに記載の信号変換装置。
【発明の詳細な説明】
【技術分野】
【０００１】
この発明は、複数の構成部を備えたエレベーターの当該構成部の交換工事をおこなう交換工事方法および交換工事に用いる信号変換装置に関する。
【背景技術】
【０００２】
従来、複数階建ての建物などに設置されたエレベーターの設備をリニューアルする際は、エレベーターが設置された昇降路は再利用し、エレベーターを構成する各構成部をすべて更新することが多い。具体的には、エレベーターのカゴや、カゴを昇降させる駆動機構などを更新する。
【０００３】
また、近年の技術の向上により、新技術を用いて制御されるエレベーターは、既設のエレベーターよりも格段に優れた機能や性能を備えている。このため、エレベーターのリニューアルに際しては、駆動機構などを制御する制御盤も更新することが多い。制御盤の更新にともない、駆動機構などの構成部と制御盤とを接続する各種の配線も更新する。
【０００４】
関連する技術として、具体的には、従来、既設の配線通口から昇降路内に延びる案内スリーブを昇降路側の導入部で切断し、切断後に残存する案内スリーブに代えて新しい保護スリーブを設置した配線通口を介して、新しい各種配線を昇降路内に敷設することにより、特別な穴開け工事をおこなうことなく制御盤から昇降路に各種配線を通すようにした技術があった（たとえば、下記特許文献１を参照。）。
【先行技術文献】
【特許文献】
【０００５】
【特許文献１】特開２００６−３４７６８１号公報
【発明の概要】
【発明が解決しようとする課題】
【０００６】
しかしながら、制御盤の更新をともなうエレベーターのリニューアルに際しては、制御盤の他に、カゴ、駆動機構、各種配線などの、エレベーターを構成する各部をすべて更新するまではエレベーターを動作させることができない。このため、上述した特許文献１を含む従来の技術は、工期が長くなり、エレベーターを使用できない期間が長くなってしまい、エレベーターの利用者に不便をかけてしまうという問題があった。
【０００７】
この発明は、上述した従来技術による問題点を解消するため、エレベーターの利用者に不便をかけることなく、エレベーターのリニューアルをおこなうことができる交換工事方法および信号変換装置を提供することを目的とする。
【課題を解決するための手段】
【０００８】
上述した課題を解決し、目的を達成するため、以下のような構成を有する。
【０００９】
この発明にかかる交換工事方法は、複数の構成部を備えたエレベーターにおいて、当該構成部と接続して当該構成部を制御する制御盤を、当該制御盤とは別の種類の新制御盤に交換し、かつ、当該構成部を交換する工事をおこなう交換工事方法であって、前記制御盤と前記構成部との接続を切り離し、当該制御盤を取り外す第１の工程と、前記構成部が出力する信号を、当該信号と同じ意味の信号であって、前記新制御盤が理解できる別の信号へ変換する信号変換装置を、前記構成部に接続するとともに、当該信号変換装置を前記新制御盤に接続する第２の工程と、前記第２の工程による接続の動作確認をおこなう第３の工程と、を有する制御盤交換工程と、前記制御盤交換工程による制御盤の交換が完了した後に、前記構成部の少なくとも一つと前記信号変換装置との接続を切り離し、当該構成部とは別の構成部であって、前記新制御盤が理解できる信号を出力する新構成部を、前記新制御盤に接続する第４の工程と、前記第４の工程による接続の動作確認をおこなう第５の工程と、を有する構成部交換工程と、を含んだことを特徴とする。
【００１０】
また、この発明にかかる交換工事方法は、複数の構成部を備えたエレベーターにおいて、当該構成部と接続して当該構成部を制御する制御盤を、当該制御盤とは別の種類の新制御盤に交換し、かつ、当該構成部を交換する工事をおこなう交換工事方法であって、前記制御盤と前記構成部との接続を切り離し、当該制御盤を取り外す第１の工程と、前記新制御盤が出力する信号を、当該信号と同じ意味の信号であって、前記構成部が理解できる別の信号へ変換する信号変換装置を、前記構成部に接続するとともに、当該信号変換装置を前記新制御盤に接続する第２の工程と、前記第２の工程による接続の動作確認をおこなう第３の工程と、を有する制御盤交換工程と、前記制御盤交換工程による制御盤の交換が完了した後に、前記構成部の少なくとも一つと前記信号変換装置との接続を切り離し、当該構成部とは別の構成部であって、前記新制御盤が理解できる信号を出力する新構成部を、前記新制御盤に接続する第４の工程と、前記第４の工程による接続の動作確認をおこなう第５の工程と、を有する構成部交換工程と、を含んだことを特徴とする。
【００１１】
また、この発明にかかる交換工事方法は、複数の構成部を備えたエレベーターにおいて、当該構成部と接続して当該構成部を制御する制御盤を、当該制御盤とは別の種類の新制御盤に交換し、かつ、当該構成部を交換する工事をおこなう交換工事方法であって、前記制御盤と前記構成部との接続を切り離し、当該制御盤を取り外す第１の工程と、前記構成部が出力する信号を、当該信号と同じ意味の信号であって、前記新制御盤が理解できる別の信号へ変換し、かつ、前記新制御盤が出力する信号を、当該信号と同じ意味の信号であって、前記構成部が理解できる別の信号へ変換する信号変換装置を、前記構成部に接続するとともに、当該信号変換装置を前記新制御盤に接続する第２の工程と、前記第２の工程による接続の動作確認をおこなう第３の工程と、を有する制御盤交換工程と、前記制御盤交換工程による制御盤の交換が完了した後に、前記構成部の少なくとも一つと前記信号変換装置との接続を切り離し、当該構成部とは別の構成部であって、前記新制御盤が理解できる信号を出力する新構成部を、前記新制御盤に接続する第４の工程と、前記第４の工程による接続の動作確認をおこなう第５の工程と、を有する構成部交換工程と、を含んだことを特徴とする。
【００１２】
また、この発明にかかる交換工事方法は、上記の発明において、前記構成部が、前記エレベーターの駆動機構であることを特徴とする。
【００１３】
また、この発明にかかる交換工事方法は、上記の発明において、前記構成部が、前記エレベーターの乗り場の制御機構であることを特徴とする請求項１〜３のいずれか一つに記載の交換工事方法。
【００１４】
また、この発明にかかる交換工事方法は、上記の発明において、前記構成部が、前記カゴの制御機構であることを特徴とする。
【００１５】
また、この発明にかかる交換工事方法は、上記の発明において、前記構成部が、前記エレベーターのセンサー機構であることを特徴とする。
【００１６】
また、この発明にかかる信号変換装置は、エレベーターが備える複数の構成部と、当該構成部に接続して当該構成部を制御する制御盤との接続が切り離され、当該制御盤が取り外された後の前記構成部に接続されるとともに、当該制御盤とは別の種類の新制御盤に接続され、前記新制御盤から前記構成部への下り信号の入力を受け付ける入力部と、前記下り信号を、当該下り信号と同じ意味の信号であって、前記構成部が理解できる別の信号へ変換する信号変換部と、前記信号変換部が変換した信号を、前記構成部へ出力する出力部と、を備えたことを特徴とする。
【００１７】
また、この発明にかかる信号変換装置は、エレベーターが備える複数の構成部と、当該構成部に接続して当該構成部を制御する制御盤との接続が切り離され、当該制御盤が取り外された後の前記構成部に接続されるとともに、当該制御盤とは別の種類の新制御盤に接続され、前記構成部から前記新制御盤への上り信号の入力を受け付ける入力部と、前記上り信号を、当該上り信号と同じ意味の信号であって、前記新制御盤が理解できる別の信号へ変換する信号変換部と、前記信号変換部が変換した信号を、前記新制御盤へ出力する出力部と、を備えたことを特徴とする。
【００１８】
また、この発明にかかる信号変換装置は、エレベーターが備える複数の構成部と、当該構成部に接続して当該構成部を制御する制御盤との接続が切り離され、当該制御盤が取り外された後の前記構成部に接続されるとともに、当該制御盤とは別の種類の新制御盤に接続され、前記新制御盤から前記構成部への下り信号および前記構成部から前記新制御盤への上り信号の入力を受け付ける入力部と、前記下り信号を、当該下り信号と同じ意味の信号であって、前記構成部が理解できる別の信号へ変換し、前記上り信号を、当該上り信号と同じ意味の信号であって、前記新制御盤が理解できる別の信号へ変換する信号変換部と、前記信号変換部が変換した下り信号を前記構成部へ出力し、前記信号変換部が変換した上り信号を前記新制御盤へ出力する出力部と、を備えたことを特徴とする。
【００１９】
また、この発明にかかる信号変換装置は、上記の発明において、前記入力部が、前記構成部ごとに接続端子を備えていることを特徴とする。
【００２０】
また、この発明にかかる信号変換装置は、上記の発明において、前記出力部が、前記構成部ごとに接続端子を備えていることを特徴とする。
【００２１】
また、この発明にかかる交換工事方法は、複数の構成部を備えたエレベーターの当該構成部の交換工事をおこなう交換工事方法であって、前記構成部を制御する制御盤を、当該制御盤とは別の種類の新制御盤に交換する際に、前記構成部が出力する信号を、当該信号と同じ意味の信号であって、前記新制御盤が理解できる別の信号へ変換する信号変換装置を、前記新制御盤と前記構成部との間に接続する信号変換装置接続工程と、前記信号変換装置接続工程をおこなった後に、前記構成部の少なくとも一つを、別の構成部であって、前記新制御盤が理解できる信号を出力する新構成部に交換する構成部交換工程と、を含んだことを特徴とする。
また、この発明にかかる交換工事方法は、複数の構成部を備えたエレベーターの当該構成部の交換工事をおこなう交換工事方法であって、前記構成部を制御する制御盤を、当該制御盤とは別の種類の新制御盤に交換する際に、前記新制御盤が出力する信号を、当該信号と同じ意味の信号であって、前記構成部が理解できる別の信号へ変換する信号変換装置を、前記新制御盤と前記構成部との間に接続する信号変換装置接続工程と、前記信号変換装置接続工程をおこなった後に、前記構成部の少なくとも一つを、別の構成部であって、前記新制御盤が出力する信号を理解できる新構成部に交換する構成部交換工程と、を含んだことを特徴とする。
また、この発明にかかる交換工事方法は、上記の発明において、前記構成部交換工程が、前記新構成部と前記新制御盤とを、前記信号変換装置を介さずに接続することを特徴とする。
また、この発明にかかる交換工事方法は、上記の発明において、前記構成部が、前記エレベーターの駆動機構であることを特徴とする。
また、この発明にかかる交換工事方法は、上記の発明において、前記構成部が、前記エレベーターの乗り場の制御機構であることを特徴とする。
また、この発明にかかる交換工事方法は、上記の発明において、前記構成部が、前記エレベーターのカゴの制御機構であることを特徴とする。
また、この発明にかかる交換工事方法は、上記の発明において、前記構成部が、前記エレベーターのセンサー機構であることを特徴とする。
【００２２】
また、この発明にかかる信号変換装置は、エレベーターが備える複数の構成部を制御する制御盤を、当該制御盤とは別の種類の新制御盤に交換する際に、当該新制御盤と前記構成部との間に接続され、前記新制御盤から前記構成部への下り信号の入力を受け付ける入力部と、前記下り信号を、当該下り信号と同じ意味の信号であって、前記構成部が理解できる別の信号へ変換する信号変換部と、前記信号変換部が変換した信号を、前記構成部へ出力する出力部と、を備えたことを特徴とする。
また、この発明にかかる信号変換装置は、エレベーターが備える複数の構成部を制御する制御盤を、当該制御盤とは別の種類の新制御盤に交換する際に、当該新制御盤と前記構成部との間に接続され、前記構成部から前記新制御盤への上り信号の入力を受け付ける入力部と、前記上り信号を、当該上り信号と同じ意味の信号であって、前記新制御盤が理解できる別の信号へ変換する信号変換部と、前記信号変換部が変換した信号を、前記新制御盤へ出力する出力部と、を備えたことを特徴とする。
また、この発明にかかる信号変換装置は、上記の発明において、前記入力部が、前記構成部ごとに接続端子を備えていることを特徴とする。
また、この発明にかかる信号変換装置は、上記の発明において、前記出力部が、前記構成部ごとに接続端子を備えていることを特徴とする。
また、この発明にかかる信号変換装置は、上記の発明において、前記構成部が、前記エレベーターの駆動機構であることを特徴とする。
また、この発明にかかる信号変換装置は、上記の発明において、前記構成部が、前記エレベーターの乗り場の制御機構であることを特徴とする。
また、この発明にかかる信号変換装置は、上記の発明において、前記構成部が、前記エレベーターのカゴの制御機構であることを特徴とする。
また、この発明にかかる信号変換装置は、上記の発明において、前記構成部が、前記エレベーターのセンサー機構であることを特徴とする。
【発明の効果】
【００２３】
この発明にかかる交換工事方法および信号変換装置によれば、エレベーターの利用者に不便をかけることなく、エレベーターのリニューアルをおこなうことができるという効果を奏する。
【図面の簡単な説明】
【００２４】
【図１】図１は、この発明にかかる実施の形態の交換工事方法におけるエレベーターの構成を示す説明図である。
【図２】図２は、カゴおよびカゴに設けられた操作盤を示す説明図である。
【図３】図３は、乗り場および乗り場に設けられた操作盤の構成を示す説明図である。
【図４】図４は、信号変換装置のハードウエア構成を示す説明図である。
【図５】図５は、信号変換装置の機能的構成を示すブロック図である。
【図６】図６は、この発明にかかる実施の形態の交換工事方法の処理手順を示すフローチャート（その１）である。
【図７Ａ】図７Ａは、この発明にかかる実施の形態の交換工事方法の交換過程の概要を示す説明図（その１）である。
【図７Ｂ】図７Ｂは、この発明にかかる実施の形態の交換工事方法の交換過程の概要を示す説明図（その２）である。
【図７Ｃ】図７Ｃは、この発明にかかる実施の形態の交換工事方法の交換過程の概要を示す説明図（その３）である。
【図７Ｄ】図７Ｄは、この発明にかかる実施の形態の交換工事方法の交換過程の概要を示す説明図（その４）である。
【図８】図８は、この発明にかかる実施の形態の交換工事方法の処理手順を示すフローチャート（その２）である。
【図９Ａ】図９Ａは、この発明にかかる実施の形態の交換工事方法の交換過程の概要を示す説明図（その５）である。
【図９Ｂ】図９Ｂは、この発明にかかる実施の形態の交換工事方法の交換過程の概要を示す説明図（その６）である。
【図９Ｃ】図９Ｃは、この発明にかかる実施の形態の交換工事方法の交換過程の概要を示す説明図（その７）である。
【図９Ｄ】図９Ｄは、この発明にかかる実施の形態の交換工事方法の交換過程の概要を示す説明図（その８）である。
【発明を実施するための形態】
【００２５】
以下に添付図面を参照して、この発明にかかる交換工事方法および信号変換装置の好適な実施の形態を詳細に説明する。
【００２６】
（エレベーターの構成）
まず、この発明にかかる実施の形態の交換工事方法の対象となるエレベーターの構成について説明する。図１は、この発明にかかる実施の形態の交換工事方法におけるエレベーターの構成を示す説明図である。
【００２７】
図１において、この発明にかかる実施の形態の交換工事方法の対象となるエレベーター１００は、たとえば、ロープ式（トラクション式）のエレベーターによって実現することができる。エレベーター１００は、たとえば、複数階建てのビルなどの建物内に設置される。
【００２８】
エレベーター１００は、人や物品を搭載するカゴ（乗りカゴ）１０１を備えている。カゴ１０１は、１台のエレベーター１００に１つずつ設けられている。カゴ１０１は、建物における各階床を、鉛直方向すなわちカゴ１０１の移動方向に沿って貫通する昇降路（図示を省略する）内に設けられている。
【００２９】
昇降路は、側面に、カゴ１０１の昇降位置をガイドするガイドレール（図示を省略する）を備えている。また、昇降路は、底部に、万一、カゴ１０１が落下して底面に衝突したときの衝撃を和らげる緩衝器１０２を備えている。緩衝器１０２は、バネの弾性力を利用して衝撃を和らげるバネ式の緩衝器１０２であってもよく、油圧抵抗を利用して衝撃を和らげる油入式の緩衝器１０２であってもよい。緩衝器１０２は、昇降路の天井面にも設けられていてもよい。
【００３０】
カゴ１０１は、ロープ１０３の一端に連結されている。ロープ１０３は、つるべ式に滑車（図示を省略する）および巻上機（トラクションマシン）１０４に架けられ、他端がカウンタウエイト１０５に連結されている。ロープ１０３は、具体的には、たとえば、鋼鉄製のワイヤーによって実現することができる。
【００３１】
ロープ式のエレベーター１００における巻上機１０４は、たとえば、エレベーター１００の最上部に設けられた機械室に設置される。巻上機１０４は、機械室の有無にかかわらず、エレベーター１００における最上部に設けることができる。あるいは、エレベーター１００が、機械室がないタイプである場合、巻上機１０４は、エレベーター１００における下部に設けられるものであってもよい。
【００３２】
巻上機１０４は、たとえば、インバーターを用いて制御されており、カゴ１０１を停止させる階床において回転を停止するように制御盤１０６によって駆動制御される。ロープ式のエレベーター１００においては、巻上機１０４を駆動することによって発生する、ロープ１０３と滑車との間の摩擦力（トラクション）を利用して、カゴ１０１を昇降させる。巻上機１０４は、エレベーター１００が備える制御盤１０６によって駆動制御される。
【００３３】
巻上機１０４は、図示を省略するエンコーダを備えており、制御盤１０６はエンコーダからの出力信号に基づいて、巻上機１０４の回転速度や回転位置を判断することができる。エンコーダは、たとえば、アブソリュートエンコーダを用いてもよく、インクリメンタルエンコーダを用いてもよい。
【００３４】
また、エレベーター１００は、電磁ブレーキ１０７、調速機（ガバナマシン）１０８、リミットスイッチ１０９などを備えている。電磁ブレーキ１０７は、コイルを備え、制御盤１０６によって駆動制御されて当該コイルに通電することにより発生する電磁力を利用して、巻上機１０４の回転を停止する。電磁ブレーキ１０７は、巻上機１０４の回転を停止した状態を保持することができる。
【００３５】
電磁ブレーキ１０７は、停電などによって電源の供給が停止した場合に、巻上機１０４の回転を制止する。電磁ブレーキ１０７は、具体的には、たとえば、停電時などコイルへの通電が切れたときにスプリングの力で動作して巻上機１０４の回転を制止する無励磁作動型の電磁ブレーキ１０７を用いることができる。
【００３６】
調速機１０８は、カゴ１０１の速度超過を検出する。調速機１０８は、たとえば、ガバナロープ１０８ａ、ガバナプーリー１０８ｂ、回転錘（図示を省略する）などを備えた遠心調速機によって実現することができる。このような調速機１０８において、ガバナロープ１０８ａは、カゴ１０１の動作と連動する。ガバナプーリー１０８ｂは、ガバナロープ１０８ａの動作に連動して回転する。
【００３７】
回転錘は、ガバナプーリー１０８ｂの回転速度、すなわち、ガバナプーリー１０８ｂの回転に起因する遠心力の大きさに応じて動作する。具体的に、回転錘は、ガバナプーリー１０８ｂの回転速度が速い場合にガバナプーリー１０８ｂの外周側に開くように動作し、ガバナプーリー１０８ｂの回転速度が遅い場合にガバナプーリー１０８ｂの内周側に閉じるように動作する。
【００３８】
リミットスイッチ１０９は、巻上機１０４に対する電源の供給／遮断を切り替えるスイッチレバー（図示を省略する）を備えている。スイッチレバーは、平時は巻上機１０４に対して電源を供給する位置に位置付けられており、調速機１０８の回転錘に付勢された場合に、巻上機１０４に対する電源の供給を遮断する位置に変位する。
【００３９】
調速機１０８の回転錘は、カゴ１０１の昇降速度が、定格速度に対して一定以上の速度になった場合に、スイッチレバーが巻上機１０４に対する電源の供給を遮断する位置に変位するように、スイッチレバーを付勢する。これにより、カゴ１０１に速度超過が発生したときに、巻上機１０４の動作を停止し、カゴ１０１を停止させることができる。
【００４０】
さらに、エレベーター１００は、非常停止装置を備えていてもよい。非常停止装置は、カゴ１０１の動作とガバナロープ１０８ａの動作とが異なる場合、すなわち、ガバナロープ１０８ａが停止しているにもかかわらずカゴ１０１が動作している場合に、カゴ１０１の動作を強制的に停止させる。非常停止装置は、公知の各種の技術を用いて容易に実現することができるため、説明を省略する。
【００４１】
カゴ１０１は、扉１０１ａを備えている。また、カゴ１０１は、扉１０１ａを開閉させるモーター（図示を省略する）や、扉１０１ａの開閉状態を検出する扉開閉センサ（図示を省略する）、および、操作盤１０１ｂなどを備えている。扉１０１ａを開閉させるモーターは、制御盤１０６によって駆動制御されて、扉１０１ａを開閉させる。
【００４２】
扉開閉センサは、扉１０１ａと扉１１０ａとの間に位置するセーフティーシューの状態に応じて扉１０１ａや扉１１０ａが開状態にあるか閉状態にあるかに応じて出力が変化する。扉開閉センサは、たとえば、マイクロスイッチや光電センサなどによって実現することができる。扉開閉センサは配線を介して制御盤１０６に接続されており、扉開閉センサから出力された信号は当該配線を介して制御盤１０６に入力される。
【００４３】
昇降路における各階床に対応した位置（乗り場）１１０には、それぞれ扉１１０ａが設けられている。乗り場１１０に設けられた扉１１０ａは、図示を省略するインターロックなどと称される装置で施錠されている。インターロックは、エレベーター１００が停止階に到着した状態でカゴ１０１が備えるモーターを駆動した場合にのみ、カゴ１０１の扉１０１ａの開閉機構とかみ合って施錠を解放する。これにより、カゴ１０１が位置する階床における乗り場１１０に設けられた扉１１０ａのみを連動して開閉することができる。
【００４４】
各乗り場１１０には、それぞれ、乗り場呼びボタン１１１ａ、カゴ１０１が位置する階床などを表示する表示器１１１ｂなどを備えた操作盤１１１が設置されている。操作盤１１１は、それぞれ、操作盤１１１用の制御基板１１１ｃを備え、当該制御基板１１１ｃを介して制御盤１０６に接続されている。
【００４５】
（カゴ１０１およびカゴ１０１に設けられた操作盤１０１ｂの構成）
つぎに、カゴ１０１およびカゴ１０１に設けられた操作盤１０１ｂの構成について説明する。図２は、カゴ１０１およびカゴ１０１に設けられた操作盤１０１ｂを示す説明図である。
【００４６】
図２において、操作盤１０１ｂは、カゴ１０１内側の壁面であって、カゴ１０１の扉１０１ａの近傍に設けられている。操作盤１０１ｂは、カゴ１０１の行先階を指定する行先階ボタンや、扉１０１ａの開閉を支持する扉開閉ボタンなどを含む操作ボタン２０１を備えている。また、操作盤１０１ｂは、カゴ１０１が位置する階床などを表示する表示器２０２を備えている。
【００４７】
カゴ１０１に設けられた操作盤１０１ｂは、操作盤１０１ｂ用の制御基板を備えており、当該操作盤１０１ｂ用の制御基板を介して制御盤１０６に接続されている。操作盤１０１ｂ用の制御基板は、エレベーター１００の利用者などによる操作ボタン２０１に対する入力操作を受け付けるごとに、当該入力操作に応じた呼び信号を生成し、生成した呼び信号を制御盤１０６に出力する。
【００４８】
また、操作盤１０１ｂ用の制御基板は、たとえば、扉開閉センサの出力に応じた信号を制御盤１０６に出力する。また、操作盤１０１ｂ用の制御基板は、制御盤１０６から出力された信号に応じて表示器２０２を制御し、カゴ１０１が位置する階床を表示したりする。操作盤１０１ｂ用の制御基板は、カゴ１０１に設けられた照明２０３の点灯／消灯の切り替え制御や、監視カメラ２０４の駆動制御などをおこなってもよい。
【００４９】
また、カゴ１０１には、インターフォンの端末装置２０５が設けられている。インターフォンの端末装置２０５は、呼出ボタンとマイクとスピーカーとを備えている（いずれも図示を省略する）。インターフォンの端末装置２０５におけるマイクやスピーカーは、操作盤１０１ｂに一体的に組み込まれていてもよい。インターフォンの端末装置２０５は、操作盤１０１ｂ用の制御基板と同様に、制御盤１０６に接続されている。制御盤１０６に接続されている。
【００５０】
（乗り場１１０および乗り場１１０に設けられた操作盤１１１の構成）
つぎに、乗り場１１０および乗り場１１０に設けられた操作盤１１１の構成について説明する。図３は、乗り場１１０および乗り場１１０に設けられた操作盤１１１の構成を示す説明図である。
【００５１】
各操作盤１１１が備える乗り場呼びボタン１１１ａは、たとえば、それぞれ、扉１１０ａの近傍の壁面３０１などに設けられている。カゴ１０１が位置する階床などを表示する表示器１１１ｂは、たとえば、それぞれが、扉１１０ａの上部の壁面３０２などに設けられている。表示器１１１ｂは、たとえば、図３に示すように、カゴ１０１が停止しうる階床とともに、カゴ１０１が位置する階床を表示する。表示器１１１ｂは、カゴ１０１が位置する階床のみを表示してもよい。エレベーター１００は、表示器１１１ｂを備えていなくてもよい。
【００５２】
制御基板１１１ｃは、操作盤１０１ｂ用の制御基板と同様に、エレベーター１００の利用者などによる乗り場呼びボタン１１１ａに対する入力操作を受け付けるごとに、当該入力操作に応じた呼び信号を生成し、生成した呼び信号を制御盤１０６に出力する。
【００５３】
この実施の形態においては、エレベーター１００が備える各部のうち、たとえば、制御盤１０６に対する信号、いわゆる「上り信号」を出力する各部によって、この発明にかかる構成部を実現することができる。また、この実施の形態においては、エレベーター１００が備える各部のうち、たとえば、制御盤１０６のＣＰＵから出力される信号、いわゆる「下り信号」にしたがって動作する各部によって、この発明にかかる構成部を実現することができる。
【００５４】
具体的に、構成部は、たとえば、エレベーター１００の駆動機構によって実現することができる。より具体的には、エレベーター１００の駆動機構は、たとえば、巻上機１０４、電磁ブレーキ１０７、扉１０１ａを開閉させるモーターなどによって実現することができる。このようなエレベーター１００の駆動機構は、制御盤１０６から出力される下り信号にしたがって動作する。また、エレベーター１００の駆動機構は、さらに、制御盤１０６に対して上り信号を出力するものであってもよい。
【００５５】
また、構成部は、たとえば、エレベーター１００の乗り場１１０の制御機構によって実現することができる。具体的に、エレベーター１００の乗り場１１０の制御機構は、たとえば、各乗り場１１０に設けられた操作盤１１１（制御基板１１１ｃ）によって実現することができる。また、構成部は、エレベーター１００のカゴ１０１の制御機構によって実現することができる。具体的に、エレベーター１００のカゴ１０１の制御機構は、たとえば、カゴ１０１に設けられた操作盤１０１ｂによって実現することができる。
【００５６】
また、構成部は、たとえば、エレベーター１００のセンサー機構によって実現することができる。具体的に、エレベーター１００のセンサー機構は、たとえば、リミットスイッチ１０９、扉開閉センサなどの各種センサによって実現することができる。これらの各種センサは、制御盤１０６に対して上り信号を出力する。
【００５７】
（制御盤１０６の構成）
つぎに、制御盤１０６の構成について説明する。制御盤１０６は、入力端子と、出力端子と、ＣＰＵ（Ｃｅｎｔｒａｌ  Ｐｒｏｃｅｓｓｉｎｇ  Ｕｎｉｔ）と、メモリと、通信Ｉ／Ｆ（ＩｎｔｅｒＦａｃｅ）と、を備えている（いずれも図示を省略する）。制御盤１０６が備える各部は、それぞれ、図示を省略するバスによって接続されている。
【００５８】
制御盤１０６の入力端子は、エレベーター１００が備える複数の構成部と制御盤１０６のＣＰＵとを接続するハードウエアインターフェースであって、各構成部から出力される信号の入力を受け付け、入力を受け付けた信号を制御盤１０６のＣＰＵに出力する。制御盤１０６の入力端子は、たとえば、エレベーター１００の各構成部が制御盤１０６に対して出力する上り信号の入力を受け付ける。
【００５９】
具体的に、制御盤１０６の入力端子は、たとえば、操作盤１０１ｂ用の制御基板や操作盤１０１ｂ用の制御基板から出力される呼び信号の入力を受け付ける。また、制御盤１０６の入力端子は、たとえば、エンコーダから出力される信号の入力を受け付ける。また、制御盤１０６の入力端子は、たとえば、リミットスイッチ１０９、扉開閉センサ、電磁ブレーキ１０７の動作に応じて出力が変化するブレーキセンサなどの各種センサから出力される信号の入力を受け付ける。ブレーキセンサは、たとえば、マイクロスイッチや光電センサなどによって実現することができる。
【００６０】
制御盤１０６の出力端子は、エレベーター１００が備える複数の構成部と制御盤１０６のＣＰＵとを接続するハードウエアインターフェースであって、制御盤１０６のＣＰＵから出力される下り信号を該当する構成部に出力する。具体的に、制御盤１０６の出力端子は、たとえば、制御盤１０６のＣＰＵによって生成された制御用の下り信号を巻上機１０４、電磁ブレーキ１０７、カゴ１０１の扉１０１ａや乗り場１１０の扉１１０ａを開閉させるモーターなどに対して出力する。
【００６１】
制御盤１０６のＣＰＵは、エレベーター１００が備える複数の構成部を制御し、エレベーター１００全体の制御をつかさどる。制御盤１０６のメモリは、エレベーター１００が備える複数の構成部の制御に用いるプログラムやデータなどを記憶している。制御盤１０６のＣＰＵは、たとえば、入力端子を介して入力された上り信号に基づいて、メモリに記憶されたプログラムやデータなどを用いた演算処理をおこなう。また、制御盤１０６のＣＰＵは、たとえば、演算処理の結果に基づく信号を、出力端子を介して該当する構成部に出力する。
【００６２】
具体的に、制御盤１０６のＣＰＵは、たとえば、操作盤１０１ｂ用の制御基板から出力される上り信号（呼び信号）に基づいて、巻上機１０４や電磁ブレーキ１０７および扉１０１ａ、１０５ａを開閉させるモーターなどの各構成部に対する制御用の下り信号を生成し、生成した制御用の下り信号を該当する各構成部に対してそれぞれ出力する。また、制御盤１０６のＣＰＵは、たとえば、巻上機１０４（エンコーダ）やブレーキセンサおよび扉開閉センサなどの各構成部から出力される上り信号に基づいて、各構成部が正常に動作したか否かを判断する。また、制御盤１０６のＣＰＵは、たとえば、操作盤１０１ｂ用の制御基板に対して、カゴ１０１が位置する階床を示す階床信号を含む制御用の下り信号を出力し、操作盤１０１ｂにおいて、カゴ１０１が位置する階床や移動方向（上昇中か下降中か）などを表示させる。
【００６３】
通信Ｉ／Ｆは、インターネットなどのネットワークを介して、管理サーバコンピュータに接続されている（いずれも図示を省略する）。管理サーバコンピュータは、監視対象となるエレベーター１００が設置されている場所とは異なる、当該エレベーター１００が設置されている場所から離れた遠隔地に設置されている。管理サーバコンピュータは、たとえば、エレベーター１００の保守管理を担う保守管理会社などに設置することができる。
【００６４】
通信Ｉ／Ｆは、制御盤１０６のＣＰＵから出力される発報用の信号を、管理サーバコンピュータに送信する。発報用の信号は、たとえば、エレベーター１００において障害を検知した場合、エレベーター１００の運転モードが変化した場合などに、制御盤１０６のＣＰＵから出力される。
【００６５】
また、通信Ｉ／Ｆは、管理サーバコンピュータから送信される診断動作の実行指示などの各種指示を受信して、制御盤１０６のＣＰＵに出力する。診断動作は、制御盤１０６からエレベーター１００が備える各部に対して、当該各部を所定の順序で動作させる信号を出力させ、出力させた信号にしたがって当該各部が正常に動作したか否かを示す信号を制御盤１０６から出力させることによって実現される。管理サーバコンピュータ１３０は、たとえば、定期的（たとえば、月の末日が到来するごと）に診断動作の実行指示を出力する。
【００６６】
制御盤１０６と管理サーバコンピュータとを、通信Ｉ／Ｆを介して、電話回線などの公衆音声網ではなくインターネットを介して接続することにより、地震などの天災発生時などの緊急時に電話回線がパンクすることに起因して、エレベーター１００の状況把握が遅延することを回避することができる。これにより、管理サーバコンピュータを用いてエレベーター１００を遠隔監視する状況において、当該エレベーター１００の動作に不具合が生じた場合に迅速な対応をとることができる。
【００６７】
制御盤１０６は、通信Ｉ／Ｆを介して、さらに、公衆音声網に接続されていてもよい。公衆音声網は、固定電話網（公衆交換電話網）および携帯電話網を含む。公衆音声網は、電話線を収容する加入者線交換機、加入者線交換機を束ねる中継交換機、ほかの事業者の電話網と接続する関門交換機など、図示を省略する複数の交換機によって構成されている。公衆音声網については、公知の技術であるため説明を省略する。
【００６８】
制御盤１０６を、通信Ｉ／Ｆを介して公衆音声網に接続することにより、インターフォンの端末装置２０５と管理センターとの音声通信を実現することができる。この場合、具体的には、たとえば、ＰＨＳ（Ｐｅｒｓｏｎａｌ  Ｈａｎｄｙ−ｐｈｏｎｅ  Ｓｙｓｔｅｍ）基板によって通信Ｉ／Ｆを実現することができる。
【００６９】
なお、この場合、制御盤１０６は、ＰＨＳ基板を用いてデータ通信をおこなってもよい。すなわち、ＰＨＳ基板を、音声通信に用いるとともにデータ通信にも用いてもよい。エレベーター１００の設置場所は固定であるため、ＰＨＳを利用した通信をおこなうことにより、通信の品質を確保するとともに通信にかかるコストを抑えることができる。これによって、制御盤１０６と管理サーバコンピュータとの間におけるデータ通信と、インターフォンの端末装置２０５と管理センターとの音声通信と、の両立を安価に実現することができる。
【００７０】
（信号変換装置の構成）
つぎに、信号変換装置の構成について説明する。図４は、信号変換装置のハードウエア構成を示す説明図である。信号変換装置は、制御盤１０６を、当該制御盤１０６とは別の種類の新制御盤１０６’に交換する際に、当該新制御盤１０６’と構成部との間に接続される（図６、図７Ａ〜図７Ｄを参照）。
【００７１】
図４において、信号変換装置４００は、入力端子４０１と、ＣＰＵ４０２と、メモリ４０３と、出力端子４０４と、を備えている。信号変換装置４００が備える各部４０１〜４０４は、それぞれ、バス４０５によって接続されている。
【００７２】
入力端子４０１は、エレベーター１００が備える複数の構成部や新制御盤１０６’と、信号変換装置４００と、を接続する接続端子（ハードウエアインターフェース）であって、各構成部や新制御盤１０６’から出力される信号の入力を受け付け、入力を受け付けた信号をＣＰＵ４０２に出力する。入力端子４０１は、構成部ごとに設けられている。また、入力端子４０１は、新制御盤１０６’に対応して設けられている。
【００７３】
具体的に、入力端子４０１は、たとえば、エレベーター１００の各構成部が制御盤１０６へ出力する信号、いわゆる「上り信号」の入力を受け付ける。また、具体的に、入力端子４０１は、たとえば、新制御盤１０６’がエレベーター１００の各構成部へ出力する信号、いわゆる「下り信号」の入力を受け付ける。
【００７４】
ＣＰＵ４０２は、信号変換装置４００が備える各部を制御し、信号変換装置４００全体の制御をつかさどる。メモリ４０３は、信号処理に用いるプログラムやデータなどを記憶している。具体的に、メモリ４０３は、たとえば、上り信号を新制御盤１０６’が理解できる別の信号に変換する信号変換処理にかかるプログラムやデータなどを記憶している。
【００７５】
また、具体的に、メモリ４０３は、たとえば、下り信号を各構成部が理解できる別の信号に変換する信号変換処理にかかるプログラムやデータなどを記憶している。ＣＰＵ４０２は、入力端子４０１を介して入力された上り信号や下り信号に対して、メモリ４０３に記憶されたプログラムやデータなどを用いて信号変換処理をおこなう。
【００７６】
出力端子４０４は、エレベーター１００が備える複数の構成部や新制御盤１０６’と、信号変換装置４００と、を接続する接続端子（ハードウエアインターフェース）であって、ＣＰＵ４０２から出力される信号を、該当する構成部や新制御盤１０６’に出力する。出力端子４０４は、構成部ごとに設けられている。また、出力端子４０４は、新制御盤１０６’に対応して設けられている。
【００７７】
具体的に、出力端子４０４は、たとえば、新制御盤１０６’が出力する下り信号であってＣＰＵ４０２が信号変換処理をおこなった下り信号を、該当する各構成部に出力する。また、具体的に、出力端子４０４は、たとえば、各構成部が出力する上り信号であってＣＰＵ４０２が信号変換処理をおこなった上り信号を新制御盤１０６’に対して出力する。
【００７８】
（信号変換装置４００の機能的構成）
つぎに、信号変換装置４００の機能的構成について説明する。図５は、信号変換装置４００の機能的構成を示すブロック図である。図５において、信号変換装置４００の各機能は、構成部側の入力部５０１と、新制御盤１０６’側の入力部５０２と、信号変換部５０３と、新制御盤１０６’側の出力部５０４と、構成部側の出力部５０５と、によって実現される。
【００７９】
構成部側の入力部５０１は、エレベーター１００の各構成部が制御盤１０６へ出力する上り信号の入力を受け付ける。構成部側の入力部５０１は、たとえば、構成部ごとに設けられた複数の入力端子４０１（接続端子）によって実現することができる。新制御盤１０６’側の入力部５０２は、新制御盤１０６’がエレベーター１００の各構成部へ出力する下り信号の入力を受け付ける。新制御盤１０６’側の入力部５０２は、たとえば、新制御盤１０６’に対応して設けられた入力端子４０１（接続端子）によって実現することができる。
【００８０】
信号変換部５０３は、構成部側の入力部５０１によって受け付けた上り信号を、当該上り信号と同じ意味の信号であって、新制御盤１０６’が理解できる別の信号へ変換する。また、信号変換部５０３は、新制御盤１０６’側の入力部５０２によって受け付けた下り信号を、当該下り信号と同じ意味の信号であって、当該下り信号の出力先となる各構成部が理解できる別の信号へ変換する。
【００８１】
新制御盤１０６’側の出力部５０４は、信号変換部５０３によって新制御盤１０６’が理解できる別の信号へ変換された上り信号を、新制御盤１０６’へ出力する。新制御盤１０６’側の出力部５０４は、新制御盤１０６’に対応して設けられた出力端子４０４（接続端子）によって実現することができる。構成部側の出力部５０５は、信号変換部５０３によって各構成部が理解できる別の信号へ変換された下り信号を、該当する各構成部へ出力する。構成部側の出力部５０５は、構成部ごとに設けられた複数の出力端子４０４（接続端子）によって実現することができる。
【００８２】
（制御盤１０６の交換手順）
つぎに、この発明にかかる実施の形態の交換工事方法の処理手順について説明する。図６は、この発明にかかる実施の形態の交換工事方法の処理手順を示すフローチャートである。図７Ａ〜図７Ｄは、この発明にかかる実施の形態の交換工事方法の交換過程の概要を示す説明図である。信号変換装置４００を用いた、制御盤１０６の交換手順について説明する。図６においては、信号変換装置４００を用いた、制御盤１０６の交換手順を示している。図７Ａ〜図７Ｄにおいては、信号変換装置４００を用いた、制御盤１０６の交換過程の概要を示している。図６および図７Ａ〜図７Ｄにおいては、旧制御盤１０６を新制御盤１０６’に交換する際の交換手順について示している。
【００８３】
新制御盤１０６’は、新制御盤１０６’に対する信号の入力を受け付け、入力された信号に基づく信号を出力する。新制御盤１０６’は、制御盤１０６が用いるプログラムとは異なるプログラミング言語によって記述されたプログラムにしたがって動作する。新制御盤１０６’は、マシン語（機械語）、すなわち、「０」と「１」の２値で表現できる電気的な信号であって、制御盤１０６が理解できる信号とは別の信号を理解する。
【００８４】
また、新制御盤１０６’は、制御盤１０６によって制御される複数の構成部（構成部Ａ〜Ｄ）７００に対して、制御盤１０６が出力する信号と同じ意味の信号であって、当該構成部が理解できる信号とは別の信号を出力する。新制御盤１０６’は、制御盤１０６によって制御される複数の構成部７００に対して、制御盤１０６が出力する信号と同じように、当該構成部７００が理解できる信号を出力してもよい。
【００８５】
図６において、信号変換装置４００を用いた、制御盤１０６の交換作業に際しては、まず、図７Ａに示すように接続されている旧制御盤１０６と各構成部７００との接続を切り離し、図７Ｂに示すように旧制御盤１０６を取り外す（ステップＳ６０１）。
【００８６】
つぎに、旧制御盤１０６が取り外された構成部７００に、図７Ｃに示すように、信号変換装置４００を接続する（ステップＳ６０２）。信号変換装置４００は、たとえば、昇降路の壁などに取り付けることができる。そして、ステップＳ６０２において構成部７００に接続された信号変換装置４００に、図７Ｄに示すように、新制御盤１０６’を接続する（ステップＳ６０３）。新制御盤１０６’は、たとえば、制御盤１０６の近傍に設置する。
【００８７】
その後、動作確認をおこない（ステップＳ６０４）、エレベーター１００が正常に動作するか否かを判断する（ステップＳ６０５）。ステップＳ６０４においては、たとえば、各構成部７００から信号変換装置４００を介して新制御盤１０６’に入力される上り信号に基づく、新制御盤１０６’の動作を確認する。具体的には、たとえば、カゴ１０１の操作盤１０１ｂにおける行先階ボタンを操作し、カゴ１０１が指定した階床に昇降するか否かを確認する。
【００８８】
また、ステップＳ６０４においては、たとえば、新制御盤１０６’から信号変換装置４００を介して入力される下り信号にしたがった各構成部７００の動作を確認する。具体的には、たとえば、乗り場１１０に設けられた操作盤１１１を操作し、当該操作に応じて該当する階床に呼びを発生させ、当該階床にカゴ１０１が移動するか否かを確認する。
【００８９】
ステップＳ６０５においては、ステップＳ６０４における確認結果に基づいて、各構成部７００から信号変換装置４００を介して新制御盤１０６’に入力される上り信号に基づいて新制御盤１０６’が動作するかすべての構成部７００が動作したか否か、および、新制御盤１０６’から信号変換装置４００を介して入力された下り信号にしたがって動作したか否か、などの結果に基づいて、エレベーター１００が正常に動作するか否かを判断する。
【００９０】
ステップＳ６０５において、エレベーター１００が正常に動作する場合（ステップＳ６０５：Ｙｅｓ）、制御盤１０６の交換作業を終了する。一方、ステップＳ６０５において、エレベーター１００が正常に動作しない場合（ステップＳ６０５：Ｎｏ）、接続確認をおこなう（ステップＳ６０６）。
【００９１】
ステップＳ６０６においては、たとえば、新制御盤１０６’から出力した信号にしたがって動作しなかった構成部７００と新制御盤１０６’との接続状態を確認する。そして、該当する構成部７００と新制御盤１０６’との接続状態を調整した後、エレベーター１００が正常に動作するまで、繰り返して、エレベーター１００が正常に動作するか否かを判断する（ステップＳ６０５）。
【００９２】
（構成部７００の交換手順）
つぎに、この発明にかかる実施の形態の交換工事方法の処理手順について説明する。図８は、この発明にかかる実施の形態の交換工事方法の処理手順を示すフローチャートである。図９Ａ〜図９Ｄは、この発明にかかる実施の形態の交換工事方法の交換過程の概要を示す説明図である。信号変換装置４００を用いた、構成部７００の交換手順について説明する。図８においては、構成部７００の交換手順を示している。図９Ａ〜図９Ｄにおいては、構成部７００の交換過程の概要を示している。図８および図９Ａ〜図９Ｄにおいては、上記のように交換された新制御盤１０６’によって信号変換装置４００を介して制御される構成部（旧構成部）７００を、新構成部７００’に交換する際の交換手順について示している。
【００９３】
図８において、構成部７００の交換作業に際しては、まず、図９Ａに示すように、信号変換装置４００と旧構成部７００との接続を切り離し（ステップＳ８０１）、図９Ｂに示すように、新制御盤１０６’に、取り外した旧構成部７００に代わる新構成部７００’を接続する（ステップＳ８０２）。これにより、旧構成部７００を新構成部７００’に交換することができる。
【００９４】
複数の旧構成部７００を新構成部７００’に交換する場合、ステップＳ８０２においては、図９Ｃに示すように、交換対象とする構成部７００ごとに、該当する旧構成部７００を信号変換装置４００から取り外し、取り外した旧構成部７００に代わる新構成部７００’を新制御盤１０６’に接続する作業をおこなう。
【００９５】
すべての旧構成部７００を新構成部７００’に交換すると、図９Ｄに示すように、すべての新構成部７００’が新制御盤１０６’に直接接続され、新制御盤１０６’と新構成部７００’との間で直接信号のやりとりがおこなわれる。これにより、すべての旧構成部７００を新構成部７００’に交換した後は、信号変換装置４００を取り外してもよい。取り外した信号変換装置４００は、別のエレベーター１００のリニューアルに再利用することができる。
【００９６】
つぎに、旧構成部７００を新構成部７００’に交換したエレベーター１００の、動作確認をおこない（ステップＳ８０３）、エレベーター１００が正常に動作するか否かを判断する（ステップＳ８０４）。ステップＳ８０３においては、たとえば、新制御盤１０６’から各構成部７００に信号を出力し、出力した信号にしたがって各構成部７００が動作するか否かを確認する。あるいは、ステップＳ８０３においては、交換された新構成部７００’の動作確認のみをおこなってもよい。
【００９７】
また、ステップＳ８０３においては、たとえば、各構成部７００から出力された信号に基づいて、新制御盤１０６’が動作するか否かを確認する。具体的には、たとえば、カゴ１０１の操作盤１０１ｂにおける行先階ボタンを操作し、カゴ１０１が指定した階床に昇降するか否かを確認する。
【００９８】
ステップＳ８０５においては、ステップＳ８０４における確認結果に基づいて、すべての構成部７００が、新制御盤１０６’から出力した信号にしたがって動作したか否かに基づいて、エレベーター１００が正常に動作するか否かを判断する。
【００９９】
ステップＳ６０５において、エレベーター１００が正常に動作する場合（ステップＳ８０４：Ｙｅｓ）、構成部７００を新構成部７００’へ交換する交換作業を終了する。一方、ステップＳ８０４において、エレベーター１００が正常に動作しない場合（ステップＳ８０４：Ｎｏ）、接続確認をおこなう（ステップＳ８０５）。
【０１００】
ステップＳ８０５においては、たとえば、新制御盤１０６’から出力した信号にしたがって動作しなかった構成部７００と新制御盤１０６’との接続状態を確認する。そして、該当する構成部７００と新制御盤１０６’との接続状態を調整した後、エレベーター１００が正常に動作するまで、繰り返して、エレベーター１００が正常に動作するか否かを判断する（ステップＳ８０５）。
【０１０１】
このように、構成部７００を新構成部７００’に交換する交換作業に際して、各構成部７００と新制御盤１０６’との間に信号変換装置４００を接続することにより、制御盤１０６を、制御盤１０６が用いるプログラムとは異なるプログラミング言語によって記述されたプログラムにしたがって動作する新制御盤１０６’に交換する場合にも、構成部７００が出力する信号を新制御盤１０６’が理解することができる。
【０１０２】
また、制御盤１０６を、制御盤１０６が用いるプログラムとは異なるプログラミング言語によって記述されたプログラムにしたがって動作する新制御盤１０６’に交換する場合にも、新制御盤１０６’が出力する信号を構成部７００が理解して正確に動作することができる。
【０１０３】
エレベーター１００の保守管理は、たとえば、エレベーター１００の制御盤１０６と点検用の端末との通信結果に基づいて、保守管理対象とするエレベーター１００の運行履歴を定期的に確認したり、確認した運行履歴に基づいて部品交換をおこなったりすることによって実現される。また、エレベーター１００の保守管理は、たとえば、制御盤１０６と管理サーバコンピュータとの間で定期的に通信をおこない、診断動作を実行させ、診断動作の結果に応じておこなう部品交換などによって実現される。
【０１０４】
このようなエレベーター１００の保守管理において、従来、たとえば、各構成部７００を専用のＡＳＩＣによって制御しているエレベーター１００において、一部の構成部７００を新構成部７００’に交換したい場合、当該新構成部７００’が既設のＡＳＩＣでは制御できないことが想定される。このような状況においては、新構成部７００’は、既設のＡＳＩＣによって制御可能なものに限られてしまう。
【０１０５】
より具体的には、たとえば、各構成部７００を専用のＡＳＩＣによって制御しているエレベーター１００においては、巻上機を交換対象とする場合、既設の構成部（巻上機）７００よりも消費電力が低く出力の大きい別の巻上機が存在していても、既設のＡＳＩＣによる制限のために別の巻上機に交換することができない。このため、エレベーター１００の管理責任者などは、既設のＡＳＩＣで制御可能な巻上機に交換するか、既設のＡＳＩＣを含めたリニューアルをおこなうか、のいずれかを選択せざるを得ず、エレベーター１００の管理責任者などによる保守管理の自由度が低いという状況があった。
【０１０６】
また、エレベーター１００の保守管理にかかる制御盤１０６と点検用の端末との通信、あるいは、制御盤１０６と管理サーバコンピュータとの通信は、エレベーター１００の製造元（メーカー）ごとに固有の信号を用いて通信がおこなわれていることが多いという現状があった。このため、メーカーや当該メーカーと提携するエレベーター管理会社（以下、適宜「メーカーなど」という）とは独立した独立系のエレベーター１００のメンテナンスサービス会社が保守管理をおこなうことが難しいという現状があった。
【０１０７】
エレベーター１００の保守管理に際して、メーカーごとに固有の信号を用いた通信をおこなうという現状においては、構成部７００に代える新構成部７００’は、エレベーター１００ごとのメーカーなどが指定した範囲内で選択せざるを得ず、エレベーター１００の管理責任者などによる保守管理の自由度が低いという状況があった。
【０１０８】
加えて、メーカーごとに固有の信号を用いた通信をおこなうという現状においては、エレベーター１００ごとのメーカーなどが、エレベーター１００の保守管理に要する費用（保守管理費）を一意に設定しやすく、エレベーター１００の管理責任者などが負担する保守管理費の低減を図ることが難しいという状況があった。
【０１０９】
エレベーター１００の利用者の安全性や安心感は、エレベーター１００の保守点検の頻度が高いほど高まる傾向にある。一方で、上記のような状況において保守管理費の低減を図るために、保守点検の頻度を、国土交通省の指針で規定された最低限度あるいはそれに近い頻度に抑えることによって対応すると、保守管理費の低減と、エレベーター１００の利用者の安全性の向上と、の両立を図ることが難しくなってしまう。
【０１１０】
これに対し、この実施の形態の交換工事方法によれば、上述したように、構成部７００から新構成部７００’への交換に先立っておこなう制御盤１０６から新制御盤１０６’への交換の前に、新制御盤１０６’と構成部７００との間に信号変換装置４００を接続することにより、構成部７００と新構成部７００’とが併存した状態であってもエレベーター１００を動作させることができる。これにより、構成部７００から新構成部７００’への交換作業を構成部７００ごとに分散しておこない、各交換作業の間にエレベーター１００を動作させることができる。
【０１１１】
上述した実施の形態においては、ＣＰＵを用いて信号変換処理などの各種の処理を実行することによって各構成部７００を制御するエレベーター１００について説明したが、エレベーター１００の制御はＣＰＵを用いて実現するものに限らない。ＣＰＵに代えて、たとえば、複数の回路を集積した特定の用途向けの集積回路であるＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）や、製造後に任意に構成を設定できる集積回路であるＦＰＧＡ（Ｆｉｅｌｄ−Ｐｒｏｇｒａｍｍａｂｌｅ  Ｇａｔｅ  Ａｒｒａｙ）などを用いてエレベーター１００の制御を実現するようにしてもよい。
【０１１２】
なお、上述した実施の形態においては、ロープ式のエレベーター１００について説明したが、この発明にかかるエレベーター１００は、ロープ式のエレベーター１００に限るものではない。ロープ式のエレベーター１００に代えて、あるいは、ロープ式のエレベーター１００に加えて、たとえば、油圧式のエレベーター１００であってもよい。
【０１１３】
また、上述した実施の形態においては、通信機能を備えた制御盤１０６を新制御盤１０６’に交換する場合の交換工事方法について説明したが、制御盤１０６は通信機能を備えたものに限らない。たとえば、設置時には遠隔監視を想定していなかったなどの理由により通信機能を備えておらず、設置後に別体の通信装置を接続した制御盤１０６を新制御盤１０６’に交換する場合においても、この発明にかかる交換工事方法を適用することができる。この場合、たとえば、制御盤１０６および通信装置を、新制御盤１０６’と交換する。
【０１１４】
以上説明したように、この発明にかかる実施の形態の交換工事方法は、制御盤１０６を新制御盤１０６’に交換する際に、構成部７００が出力する信号を、当該信号と同じ意味の信号であって、新制御盤１０６’が理解できる別の信号へ変換する信号変換装置４００を新制御盤１０６’と構成部７００との間に接続し、その後、構成部７００の少なくとも一つを、新制御盤１０６’が理解できる信号を出力する新構成部７００’に交換するようにしたことを特徴としている。
【０１１５】
この発明にかかる実施の形態の交換工事方法によれば、制御盤１０６を新制御盤１０６’に交換する前に新制御盤１０６’と構成部７００との間に信号変換装置４００を接続することにより、構成部７００が出力する信号を、信号変換装置４００によって新制御盤１０６’が理解できる別の信号へ変換して、当該新制御盤１０６’に入力することができる。これにより、構成部７００と新構成部７００’とが併存した状態であっても新制御盤１０６’を動作させることができる。
【０１１６】
また、この発明にかかる実施の形態の交換工事方法は、制御盤１０６を新制御盤１０６’に交換する際に、新制御盤１０６’が出力する信号を、当該信号と同じ意味の信号であって、構成部７００が理解できる別の信号へ変換する信号変換装置４００を新制御盤１０６’と構成部７００との間に接続し、その後、構成部７００の少なくとも一つを、新制御盤１０６’が出力する信号を理解できる新構成部７００’に交換するようにしたことを特徴としている。
【０１１７】
この発明にかかる実施の形態の交換工事方法によれば、制御盤１０６を新制御盤１０６’に交換する前に新制御盤１０６’と構成部７００との間に信号変換装置４００を接続することにより、新制御盤１０６’が出力する信号を、信号変換装置４００によって構成部７００が理解できる別の信号へ変換して当該構成部７００に入力することができる。これにより、新制御盤１０６’によって構成部７００を制御することができ、構成部７００と新構成部７００’とが併存した状態であってもエレベーター１００を動作させることができる。
【０１１８】
これにより、構成部７００から新構成部７００’への交換を、たとえば、夜間など、エレベーター１００の利用頻度が少ない時間帯に複数回（複数日）に分散しておこなうことができる。このため、開始してから完了するまでに日数を要するリニューアル工事であっても、エレベーターの利用者に不便をかけることなく、エレベーターのリニューアルをおこなうことができる。
【０１１９】
また、この発明にかかる実施の形態の交換工事方法によれば、構成部７００と新構成部７００’とが併存した状態、すなわち、一部の構成部７００のみを新構成部７００’に交換した状態であってもエレベーター１００を動作させることができる。これにより、制御盤１０６を新制御盤１０６’に交換した以降も、使用できる構成部７００は交換せずに引き続き使用することができる。
【０１２０】
このように、更新する必要がある構成部７００のみを選択的に交換することにより、エレベーター１００の保守管理に要する保守管理費の計画や管理がしやすくなる。そして、これにより、たとえば、安全性にかかわる構成部７００など特定の構成部７００の交換頻度を高くすることが可能になり、エレベーター１００の利用者の安全性の向上を図ることができる。
【０１２１】
また、この発明にかかる実施の形態の交換工事方法によれば、制御盤１０６と新構成部７００’、あるいは、新制御盤１０６’と構成部７００との相性に左右されることなく、エレベーターのリニューアルを分散しておこなうことができる。これにより、エレベーターの利用者に不便をかけることなく、独立系の保守管理会社が、エレベーター１００のメーカーに左右されることなく、メーカーなどと同等の保守管理をおこなうことができる。
【０１２２】
また、エレベーター１００の管理責任者は、メーカーなどに限定することなく、独立系の保守管理会社やメーカーなどの複数の業者の中から選定した業者に対してエレベーター１００の保守管理をおこなわせ、エレベーター１００の安全性を確保することができる。このように、独立系の保守管理会社がメーカーなどと同等の保守管理をおこなうことを可能とすることにより、エレベーター１００の安全性を確保した上で、エレベーター１００の保守管理をメーカーなどが独占する場合と比較して、同等の保守管理をおこなうために費やす経費（保守管理費）の低減を図ることができる。
【０１２３】
そして、保守管理費の低減を図ることにより、メーカーなどが保守管理をおこなう場合と同等の保守管理費でエレベーター１００の動作状態などの点検頻度を上げることができ、より一層のエレベーター１００の利用者の安全性の向上を図ることができる。このように、この実施の形態の交換工事方法によれば、保守管理費の低減と、エレベーター１００の利用者の安全性の向上と、の両立を図ることができる。
【０１２４】
また、この発明にかかる実施の形態の交換工事方法は、新構成部７００’と新制御盤１０６’とを、信号変換装置４００を介さずに接続することを特徴としている。
【０１２５】
この発明にかかる実施の形態の交換工事方法によれば、信号変換装置４００を介さずに新構成部７００’と新制御盤１０６’とを接続することにより、新構成部７００’と新制御盤１０６’との間における信号伝達経路を簡略化し、当該信号の劣化を抑制することができる。このように、信号の劣化を抑制することにより、たとえば、新構成部７００’がアナログの信号を出力する場合にも、デジタル信号処理をおこなう新制御基板における当該信号の誤認を防止し、エレベーター１００の動作に支障をきたすことを確実に防止することができる。また、信号の劣化を抑制することにより、たとえば、新構成部７００’を確実に制御することができ、エレベーター１００の動作に支障をきたすことを確実に防止することができる。
【０１２６】
また、新構成部７００’と新構成部７００’とを信号変換装置４００を介さずに接続することにより、すべての構成部７００を新構成部７００’に交換した後に、制御盤１０６を撤去することができる。これにより、昇降路や機械室などの限られたスペースを有効に活用することができる。
【０１２７】
また、この発明にかかる実施の形態の交換工事方法は、構成部７００が、エレベーター１００の駆動機構、エレベーター１００の乗り場１１０の制御機構、エレベーター１００のカゴ１０１の制御機構あるいはエレベーター１００のセンサー機構であることを特徴としている。
【０１２８】
この発明にかかる実施の形態の交換工事方法によれば、制御盤１０６との間で信号の入出力をおこなう構成部７００を備えたエレベーター１００において、制御盤１０６を新制御盤１０６’に交換しても、制御盤１０６を新制御盤１０６’にすることに起因してエレベーター１００の動作に支障をきたすことを防止することができる。また、この発明にかかる実施の形態の交換工事方法によれば、制御盤１０６を新制御盤１０６’に交換した後に、新制御盤１０６’から出力される信号にしたがって動作する別の構成部７００と、制御盤１０６から出力される信号にしたがって動作する構成部７００と、が併存する場合にも制御盤１０６を新制御盤１０６’にすることに起因してエレベーター１００の動作に支障をきたすことを防止することができる。
【０１２９】
このように、この発明にかかる実施の形態の交換工事方法によれば、エレベーター１００の動作に支障をきたすことなく、エレベーター１００のリニューアルをおこなうことができる。
【０１３０】
また、この発明にかかる実施の形態の信号変換装置４００は、エレベーター１００が備える複数の構成部７００を制御する制御盤１０６を、当該制御盤１０６とは別の種類の新制御盤１０６’に交換する際に、当該新制御盤１０６’と構成部７００との間に接続され、新制御盤１０６’から構成部７００への下り信号の入力を受け付ける入力部と、下り信号を、当該下り信号と同じ意味の信号であって、構成部７００が理解できる別の信号へ変換する信号変換部５０３と、信号変換部５０３が変換した信号を、構成部７００へ出力する出力部と、を備えたことを特徴としている。
【０１３１】
この発明にかかる実施の形態の信号変換装置４００によれば、制御盤１０６を新制御盤１０６’に交換する際に、当該新制御盤１０６’と当該構成部７００との間に接続されることにより、新制御盤１０６’から出力される下り信号を、当該下り信号と同じ意味の信号であって構成部７００が理解できる別の信号へ変換し、変換した信号を構成部７００へ出力することができる。これにより、制御盤１０６を新制御盤１０６’にすることに起因してエレベーター１００の動作に支障をきたすことを防止することができる。
【０１３２】
このように、この発明にかかる実施の形態の交換工事方法によれば、エレベーター１００の動作に支障をきたすことなく、エレベーター１００のリニューアルをおこなうことができる。
【０１３３】
また、この発明にかかる実施の形態の信号変換装置４００は、エレベーター１００が備える複数の構成部７００を制御する制御盤１０６を、当該制御盤１０６とは別の種類の新制御盤１０６’に交換する際に、当該新制御盤１０６’と構成部７００との間に接続され、構成部７００から新制御盤１０６’への上り信号の入力を受け付ける入力部と、上り信号を、当該上り信号と同じ意味の信号であって、新制御盤１０６’が理解できる別の信号へ変換する信号変換部５０３と、信号変換部５０３が変換した信号を、新制御盤１０６’へ出力する出力部と、を備えたことを特徴としている。
【０１３４】
この発明にかかる実施の形態の信号変換装置４００によれば、制御盤１０６を新制御盤１０６’に交換する際に、当該新制御盤１０６’と当該構成部７００との間に接続されることにより、構成部７００から出力される上り信号を、当該上り信号と同じ意味の信号であって新制御盤１０６’が理解できる別の信号へ変換し、変換した信号を新制御盤１０６’へ出力することができる。これにより、制御盤１０６を新制御盤１０６’にすることに起因して、構成部７００と別の構成部７００とが併存している場合にも、エレベーター１００の動作に支障をきたすことを防止することができる。
【０１３５】
このように、この発明にかかる実施の形態の交換工事方法によれば、エレベーター１００の動作に支障をきたすことなく、エレベーター１００のリニューアルをおこなうことができる。
【０１３６】
また、この発明にかかる実施の形態の信号変換装置４００は、入力部が、構成部７００ごとに接続端子を備えていることを特徴としている。
【０１３７】
この発明にかかる実施の形態の信号変換装置４００によれば、構成部７００ごとに設けられた接続端子によって入力部を構成することにより、各構成部７００からの上り信号のそれぞれを、確実に、当該上り信号と同じ意味の信号であって、新制御盤１０６’が理解できる別の信号へ変換して新制御盤１０６’に入力することができる。これにより、制御盤１０６を新制御盤１０６’にすることに起因してエレベーター１００の動作に支障をきたすことを防止することができる。
【０１３８】
また、この発明にかかる実施の形態の信号変換装置４００は、出力部が、構成部７００ごとに接続端子を備えていることを特徴としている。
【０１３９】
この発明にかかる実施の形態の信号変換装置４００によれば、構成部７００ごとに設けられた接続端子によって出力部を構成することにより、各構成部７００からの下り信号のそれぞれを、確実に、当該下り信号と同じ意味の信号であって、各構成部７００が理解できる別の信号へ変換して各構成部７００に入力することができる。これにより、構成部７００と別の構成部７００とが併存している場合にも、エレベーター１００の動作に支障をきたすことを防止することができる。
【産業上の利用可能性】
【０１４０】
以上のように、この発明にかかる交換工事方法および信号変換装置は、エレベーターの遠隔監視をおこなう交換工事方法に有用であり、特に、設置後のエレベーターの遠隔監視をおこなう交換工事方法および信号変換装置に適している。
【符号の説明】
【０１４１】
１０６  制御盤
１０６’  新制御盤
４００  信号変換装置
５０１  入力部（構成部側）
５０２  入力部（新制御盤側）
５０３  信号変換部
５０４  出力部（新制御盤側）
５０５  出力部（構成部側）
７００  構成部
７００’  新構成部
【図１】
2019104636.tif 000003
【図２】
2019104636.tif 000004
【図３】
2019104636.tif 000005
【図４】
2019104636.tif 000006
【図５】
2019104636.tif 000007
【図６】
2019104636.tif 000008
【図７Ａ】
2019104636.tif 000009
【図７Ｂ】
2019104636.tif 000010
【図７Ｃ】
2019104636.tif 000011
【図７Ｄ】
2019104636.tif 000012
【図８】
2019104636.tif 000013
【図９Ａ】
2019104636.tif 000014
【図９Ｂ】
2019104636.tif 000015
【図９Ｃ】
2019104636.tif 000016
【図９Ｄ】
2019104636.tif 000017